(57)【要約】      （修正有）【課題】釣りボックスの周辺素材の前面に取付けて、釣竿を保持できる釣竿用のロッドホルダーを提供する。【解決手段】釣ボックスの周辺素材の裏面に添接する板材と、板材に設けた複数個の孔と、周辺素材の表面に添接される取付けボルトを有する有底のホルダーと、ホルダーの取付けボルトの基端部に設けた樹脂性ワッシャで構成する。取付けボルトを、周辺素材の孔と、板材の孔を貫設し、周辺素材の裏面に至った取付けボルトの先端部に、ナットを緊締し、ホルダーを、周辺素材の適所に取付け可能とした。【選択図】図４
0003155035.tif 000002
【実用新案登録請求の範囲】
【請求項１】
釣ボックスの周辺素材の裏面に添接する板材と、この板材に設けた複数個の孔と、前記
周辺素材の表面に添接される取付けボルトを有する有底のホルダーと、このホルダーの取付けボルトの基端部に設けた樹脂性ワッシャとで構成し、この取付けボルトを、前記周辺素材の孔と、前記板材の孔を貫設し、この周辺素材の裏面に至らしめ、この裏面に至った取付けボルトの先端部に、ナットを緊締し、このホルダーを、前記周辺素材の適所に、かつ取付け、又は取外し可能とした釣竿用のロッドホルダー。
【請求項２】
釣ボックスの周辺素材の上部を挾持するクリップを備えた有底のホルダーと、このホルダーの外周面の被係止部と、前記クリップの下端の係止部との係止関係を利用し、前記周辺素材への圧着手段か、又は前記クリップの下端に設けた貼着部による前記周辺素材への貼着手段で、このホルダーを、前記周辺素材の適所に、かつ取付け、又は取外し可能とした釣竿用のロッドホルダー。
【請求項３】
請求項１、又は請求項２に記載の釣竿用のロッドホルダーであって、
前記有底は、ホルダーの下部に設けた無底の下キャップと、このホルダーの下部と前記下キャップに差渡し設けた底ユニットとによる構成とした釣竿用のロッドホルダー。
【請求項４】
請求項１、又は請求項２に記載の釣竿用のロッドホルダーであって、
前記ロッドホルダーに差渡し設けた底ユニットは、ホルダーの下部及び／又は下キャップに貫設した筒体と、この筒体に挿入される、前記ホルダーの下部の外周面に圧接される鍔片を備えた止め具とでなる構成とした釣竿用のロッドホルダー。
【請求項５】
請求項３に記載の釣竿用のロッドホルダーであって、
前記止め具の螺子部には、この止め具の頭部より大径の鍔片を支持し、この支持した鍔片と、前記ホルダーの外周面の間に挾持隙間を形成し、この挾持隙間に釣糸を引掛ける構成とした釣竿用のロッドホルダー。
【考案の詳細な説明】
【技術分野】
【０００１】
本考案は、釣道具、又は魚等の収容を図る釣ボックス（バッカン、収容箱）であって、可撓性の釣ボックスに、ホルダー（有底筒体）を自由に取付け、取外し可能に設けられる釣竿用のロッドホルダーに関する。
【背景技術】
【０００２】
魚釣において、釣竿を片手、又は両手で長時間保持することは少なく、通常は、釣竿支持具にて支持する。この支持は、手の疲労を軽減し、楽しみながら釣をすることと、この待ち時間に、餌の準備、捕捉をするとか、又は道具の修理、選択をすること等に活用することで、前記と同様に、楽しみながら釣をすること等にある。このような希望から、種々の釣竿支持具が提供されているが、本考案者が知る限りでは、これらの希望を満足するに到っていないのが現況である。
【０００３】
そこで、本出願人は、この希望を満足するための構成を先行文献から検討すると、次に挙げる発明、考案が一例として挙げられるので、以下、その内容を概述する。
【０００４】
文献（１）は、特開２００４−２１５６００の「釣竿支持具」であり、可撓性（柔らかい）の収容箱に釣竿支持具を取付け、取外し自在にすることを意図し、この収容箱の前側に山形形状の脚部材を取付け、この収容箱に剛性を付与しながら、かつ竿受け部材を取付け可能とする構造であり、可撓性の収容箱に釣竿支持具を取付け、かつ釣竿の支持を可能とする。しかし、この発明は、構造が大掛かりなり易く、取付けに手間取ること、二点支持構造の竿受け部材では、使用時に引っ掛り易いこと、また、この引掛けにより、転倒の危険性があること、等の改良点が挙げられる。
【０００５】
また、文献（２）は、特開２００７−１５９４２８の「釣竿保持具」であり、釣竿の柄を差込む挿入部材と連結部材で構成する釣竿の支持具と、この支持具に設けたベルトで構成し、この支持具を、ベルトを介して、人体、又は車椅子等の起立手段に取付ける構造であり、この支持具で、釣竿を支持することを特徴とし、簡便かつ容易な釣竿支持具を提供することを意図する。しかし、この発明は、支持具が傾斜する構造であるので、使用時（魚釣）には有効であるが、それ以外の状態では、却って邪魔となることが考えられることから、利便性を考えた際には、限界があること、また、ベルトを捲装する構造であり、取付け方によっては、危険であること、人の場合では、長時間の使用に抵抗感があること、等の改良点が挙げられる。
【０００６】
さらに、文献（３）は、特開２００１−３７３９１の「釣り用ジャケットおよび竿支持体」であり、この発明は、筒状のグリップ挿入部の台座部を、ジャケットの胸部近傍に固着する構造である。従って、釣竿の保持は可能であり、有益である。しかし、この発明は、筒状のグリップ挿入部に底部を備えていないことから、例えば、「釣竿に取り付けられたスピニングリールの脚部と、筒部の上縁部とが接触するまで、釣竿はグリップ挿入部内に挿入され（差込まれる）、」との記載がある通り、このスピニングリール等の引掛け部材がない釣竿には使用できない問題が考えられる。そして、また、この発明は、台座部を逢着する構造であり、簡易に着脱できないこと、また、個人のジャケットに、後付け方法で、逢着するには、手間と経験を要すること、等の改良点が考えられる。
【０００７】
【特許文献１】特開２００４−２１５６００
【特許文献２】特開２００７−１５９４２８
【特許文献３】特開２００１−３７３９１
【考案の概要】
【考案が解決しようとする課題】
【０００８】
前記文献（１）は、可撓性の収容箱に、その骨組みとなる脚部材の取付けにより、二点支持構造の竿受け部材を取付け可能とする。しかし、この発明は、構造が大掛かりなり易く、取付けに手間取ること、この竿受け部材の構造では、使用時に引掛り易いこと、また、この引掛けにより、転倒の危険性があること、等の改良点が挙げられる。
【０００９】
また、文献（２）は、人、又は車椅子等に支持具を傾斜して設ける構造であるので、使用時には有効であるが、それ以外の状態では、却って邪魔となることが考えられることから、利便性を考えた際には、限界があること、また、ベルトを捲装する構造であり、取付け方によっては、危険であること、人の場合では、長時間の使用に抵抗感があること、等の改良点が挙げられる。
【００１０】
さらに、文献（３）では、底部を有さない構造であり、全ての釣竿に対応できない問題を抱えている。また、この文献（３）は、釣竿を挿入されるグリップ挿入部は、ベルトを介して取付ける構造であり、可撓性の釣ボックスに取付けるには、困難性が考えられる。
【００１１】
前記に鑑み、本考案（本考案の好ましい一例）は、可撓性の（柔らかい）釣ボックスの周辺素材の前面に、後付けで、ロッドホルダーを取付けできる構造を採用し、この釣ボックスの有効利用と、また、この釣ボックスに釣竿を保持できる構造とすること、等を意図する。また、これにより、本考案は、釣及び／又は釣竿・道具等の操作の容易化を図り、釣の楽しみを満喫できるロッドホルダー付の釣ボックスを提供すること、また、人手の操作と、人の移動の自由を図りつつ、かつ安全性を確保できること、又は釣竿・道具・人体等に対するトラブルの解消に役立てること、等を意図する。さらに、本考案は、釣ボックスの周辺素材の前面と裏面等を損傷することなく、ロッドホルダーを取付け、又は取外しができる構造を提案する。そして、また、本考案は、有底構造のホルダーであっても、このホルダー内に、釣竿に付着する水を溜めることなく、排出できる構造とし、最適な構造の釣具用のロッドホルダーを提案する。さらに、本考案は、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等を図ることを意図する。
【課題を解決するための手段】
【００１２】
請求項１の考案は、前述した、可撓性の釣ボックスの周辺素材の適所に、後付けで、ロッドホルダーを取付けできる構造を採用し、釣ボックスの有効利用を図り、また、釣ボックスに釣竿を保持できる構造とすること、等を意図する。また、請求項１の考案は、例えば、釣及び／又は釣竿・道具等の操作の容易化を図り、釣の楽しみを満喫できるロッドホルダー付の釣ボックスを提供すること、また、人手の操作と、人の移動の自由を図りつつ、かつ安全性を確保すること、又は釣竿・道具・人体等に対するトラブルの解消に役立てること、等を意図する。さらに、請求項１の考案は、釣ボックスの周辺素材の前面と裏面等を損傷することなく、ロッドホルダーを取付け、又は取外しができる構造を提案する。そして、また、請求項１の考案は、ホルダーを有底構造としても、ホルダー内に、釣竿に付着する水を溜めることなく、排出できる構造とし、最適な構造の釣具用のロッドホルダーを提案する。
【００１３】
請求項１は、釣ボックスの周辺素材の裏面に添接する板材と、この板材に設けた複数個の孔と、前記周辺素材の表面に添接される取付けボルトを有する有底のホルダーと、このホルダーの取付けボルトの基端部に設けた樹脂性ワッシャとで構成し、この取付けボルトを、前記周辺素材の孔と、前記板材の孔を貫設し、この周辺素材の裏面に至らしめ、この裏面に至った取付けボルトの先端部に、ナットを緊締し、このホルダーを、前記周辺素材の適所に、かつ取付け、又は取外し可能とした釣竿用のロッドホルダーである。
【００１４】
請求項２の考案は、請求項１の目的を、より簡単な構造と、低コストで達成できるホルダーの構造を提案することを意図する。
【００１５】
請求項２は、釣ボックスの周辺素材の上部を挾持するクリップを備えた有底のホルダーと、このホルダーの外周面の被係止部と、前記クリップの下端の係止部との係止関係を利用し、前記周辺素材への圧着手段か、又は前記クリップの下端に設けた貼着部による前記周辺素材への貼着手段で、このホルダーを、前記周辺素材の適所に、かつ取付け、又は取外し可能とした釣竿用のロッドホルダーである。
【００１６】
請求項３の考案は、請求項１、又は請求項２の目的を達成し、また、この目的を達成するに最適な、有底構造のホルダーの構造を提案すること、等を意図する。
【００１７】
請求項３は、請求項１、又は請求項２に記載の釣竿用のロッドホルダーであって、
前記有底は、ホルダーの下部に設けた無底の下キャップと、このホルダーの下部と前記下キャップに差渡し設けた底ユニットとによる構成とした釣竿用のロッドホルダーである。
【００１８】
請求項４の考案は、請求項１、又は請求項２の目的を達成し、また、この目的を達成するに最適な、有底構造のホルダーの構造を提案すること、又はホルダー内に、釣竿に付着する水を溜めることなく、排出できる構造を採用し、釣具用のホルダーとして、最適な構造を提案すること、等を意図する。
【００１９】
請求項４は、請求項１、又は請求項２に記載の釣竿用のロッドホルダーであって、
前記ロッドホルダーに差渡し設けた底ユニットは、ホルダーの下部及び／又は下キャップに貫設した筒体と、この筒体に挿入される、前記ホルダーの下部の外周面に圧接される鍔片を備えた止め具とでなる構成とした釣竿用のロッドホルダーである。
【００２０】
請求項５の考案は、請求項３の目的を達成し、また、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等を図ることを意図する。
【００２１】
請求項５は、請求項３に記載の釣竿用のロッドホルダーであって、
前記止め具の螺子部には、この止め具の頭部より大径の鍔片を支持し、この支持した鍔片と、前記ホルダーの外周面の間に挾持隙間を形成し、この挾持隙間に釣糸を引掛ける構成とした釣竿用のロッドホルダーである。
【考案の効果】
【００２２】
請求項１の考案は、釣ボックスの周辺素材の裏面に添接する板材と、板材に設けた複数個の孔と、周辺素材の表面に添接される取付けボルトを有する有底のホルダーと、ホルダーの取付けボルトの基端部に設けた樹脂性ワッシャとで構成し、取付けボルトを、周辺素材の孔と、板材の孔を貫設し、周辺素材の裏面に至らしめ、裏面に至った取付けボルトの先端部に、ナットを緊締し、ホルダーを、周辺素材の適所に、かつ取付け、又は取外し可能とした釣竿用のロッドホルダーである。
【００２３】
従って、請求項１は、前述した、可撓性の釣ボックスの周辺素材の適所に、後付けで、ロッドホルダーを取付けできる構造を採用し、釣ボックスの有効利用が図れること、また、釣ボックスに釣竿を保持できる構造を提供できること、等の特徴を有する。また、請求項１は、釣及び／又は釣竿・道具等の操作の容易化を図り、釣の楽しみを満喫できるロッドホルダー付の釣ボックスを提供できること、また、人手の操作と、人の移動の自由が図れ、かつ安全性を確保できること、又は釣竿・道具・人体等に対するトラブルの解消に役立つこと、等の特徴がある。さらに、請求項１は、釣ボックスの周辺素材の前面と裏面等を損傷することなく、ロッドホルダーを取付け、又は取外しができる実益がある。そして、また、請求項１は、ホルダーを有底構造としても、ホルダー内に、釣竿に付着する水を溜めることなく、排出できる構造とし、最適な構造の釣具用のロッドホルダーを提案できる特徴がある。
【００２４】
請求項２の考案は、釣ボックスの周辺素材の上部を挾持するクリップを備えた有底のホルダーと、ホルダーの外周面の被係止部と、クリップの下端の係止部との係止関係を利用し、周辺素材への圧着手段か、又はクリップの下端に設けた貼着部による周辺素材への貼着手段で、ホルダーを、周辺素材の適所に、かつ取付け、又は取外し可能とした釣竿用のロッドホルダーである。
【００２５】
従って、請求項２は、請求項１の特徴を、より簡単な構造と、低コストで達成できるホルダーの構造を提案することを意図する。
【００２６】
請求項３の考案は、請求項１、又は請求項２に記載の釣竿用のロッドホルダーであって、
有底は、ホルダーの下部に設けた無底の下キャップと、ホルダーの下部と下キャップに差渡し設けた底ユニットとによる構成とした釣竿用のロッドホルダーである。
【００２７】
従って、請求項３は、請求項１、又は請求項２の目的を達成し、また、この目的を達成するに最適な、有底構造のホルダーの構造を提案できること、等の特徴を有する。
【００２８】
請求項４の考案は、請求項１、又は請求項２に記載の釣竿用のロッドホルダーであって、
ロッドホルダーに差渡し設けた底ユニットは、ホルダーの下部及び／又は下キャップに貫設した筒体と、筒体に挿入される、ホルダーの下部の外周面に圧接される鍔片を備えた止め具とでなる構成とした釣竿用のロッドホルダーである。
【００２９】
従って、請求項４は、請求項１、又は請求項２の目的を達成し、また、この目的を達成するに最適な、有底構造のホルダーの構造を提案できること、又はホルダー内に、釣竿に付着する水を溜めることなく、排出できる構造を採用し、釣具用のホルダーとして、最適な構造を提案できること、等の特徴を有する。
【００３０】
請求項５の考案は、請求項３に記載の釣竿用のロッドホルダーであって、
止め具の螺子部には、止め具の頭部より大径の鍔片を支持し、支持した鍔片と、ホルダーの外周面の間に挾持隙間を形成し、挾持隙間に釣糸を引掛ける構成とした釣竿用のロッドホルダーである。
【００３１】
従って、請求項５は、請求項３の目的を達成し、また、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等が図れること、等の特徴を有する。
【図面の簡単な説明】
【００３２】
【図１−１】釣ボックスの一例を示した縮尺俯瞰図
【図１−２】釣ボックスに、ホルダー（ロッドホルダー）を取付けた状態の一例を示した縮尺俯瞰図
【図１−３】釣ボックスに取付けたホルダーに釣竿を挿入した状態の一例を示した縮尺俯瞰図
【図２】釣ボックスに取付けたホルダーに釣竿を挿入した状態の一例を示した縮尺俯瞰図
【図３】図２に示したホルダーと釣竿、及び釣糸との関係を示した縮尺正面図
【図４】釣竿用のロッドホルダーの要部を分解して示した図であり、板材と、釣ボックスの周辺素材と、取付けボルト、及び樹脂性ワッシャと、ナット、並びにホルダー等を示した俯瞰図
【図５−１】釣ボックスにホルダーを取付けた状態で、要部（ロッドホルダーに差渡し設けた底ユニット）を含めて、全体を横断した拡大断面図
【図５−２】図５−１の要部を分解して示した断面図
【図６】ロッドホルダーの要部である、ホルダー、上下キャップを分解して示した俯瞰図
【図７−１】底ユニットを構成する筒体と、鍔片と、止め具との関係を分解して示した拡大斜視図
【図７−２】図７−１の断面図
【図８】釣ボックスに、別のホルダー（ロッドホルダー）を取付けた状態の一例を示した縮尺俯瞰図
【図９】図８に示したホルダーの拡大俯瞰図
【図１０】図８に示したホルダーのクリップの一例を示した拡大俯瞰図
【考案を実施するための形態】
【００３３】
図において、１はロッドホルダーで、このロッドホルダー１の要部は、有底の剛性筒体でなるホルダー２と、この有底のホルダー２に設けられる上下キャップ３、４と、このロッドホルダー１を釣ボックスＡに取付ける取付け手段Ｂで構成される。
【００３４】
そして、図１−１〜図７−２において、ロッドホルダー１と、その取付け手段Ｂの一例を説明すると、このホルダー２の長手方向において、直線状、かつ等間隔で設けられた複数個の孔２００に挿設された、前記長手方向に直交する方向に、突設支持された複数個の取付けボルト６（支持底ユニット）と、この取付けボルト６（止め具の一種である）の開放側の基端部６ａ（ホルダー２の孔２００より突出した箇所）にそれぞれ支持された複数枚の切欠き部７００を有する樹脂性ワッシャ７と、また、この取付けボルト６に貫設支持される板材１０と、さらに、この取付けボルト６の螺軸部６ｂに螺着されるワッシャ１１及び／又はナット１２、並びに、前記ホルダー２の有底を構成する、このホルダー２と、前記下キャップ４に貫設支持した底ユニット１５とで構成される。尚、樹脂性ワッシャ７の切欠き部７００は、取付けボルト６の螺軸部６ｂに撓み、かつ挾持されることで、この取付けボルト６を、ホルダー２の孔２００に取付けても、落下が少なくなることで、例えば、取付けボルト６の螺軸部６ｂを、釣ボックスＡの孔及び／又は後述する板材の孔に簡易に、差込み可能となり重宝する。
【００３５】
そして、前記上下キャップ３、４は、ホルダー２の上下部２ａ、２ｂに嵌着されて、この上下部２ａ、２ｂを保護し、かつ肉厚部位を生成するとともに、このロッドホルダー１に釣竿Ｃを挿入される際のガイドとすること、また、取付けボルト６の皿頭部６００を隠蔽し、怪我とか、一例では、釣竿Ｃの保護等を図る。また、取付けボルト６の皿頭部６００は、ホルダー２の皿状の孔２００に嵌着されるとともに、この皿頭部６００の面部は、ホルダー２の内壁面に、略面一に嵌着される。この嵌着された皿頭部６００の上に、上下キャップ３、４が設けられることで、この皿頭部６００による全ての問題点を解消できる。
【００３６】
また、板材１０には、前記取付けボルト６が貫設される複数個の孔１０００が貫設されているとともに、釣ボックスＡへの取付けを図るテープ１００１が設けられている。
【００３７】
図中１１はワッシャ、１２はナットを示す。
【００３８】
また図中１５は底ユニットで、この底ユニット１５は、筒体１５００と、この筒体１５００の開放端１５００ａ、１５００ｂに差込まれ、かつホルダー２の下部の外周面２ｃに圧接される鍔片１５０１ａ、１５０２ａと、螺子部１５０１ｂ、１５０２ｂを備えた止め具１５０１、１５０２で構成されており、この底ユニット１５を、ホルダー２の下部２ｂに設けた孔２０１と、場合により、下キャップ４に設けた孔（図示しない）、又は切欠き４００との間に設け、この筒体１５００の開放端１５００ａ、１５００ｂに、止め具１５０１、１５０２を差込み支持することで、ホルダー２の底部（有底）となるが、隙間Ｓが形成されることから、例えば、水の落下、空気の流通を図り、ぬめり、汚染、悪臭等の障害解消と、美感維持等を可能とする。また、この有底を利用し、挿入した釣竿Ｃの保持と、又は全ての釣竿Ｃの保持が可能となり重宝する。そして、図２、図３と、５−１に示す如く、この鍔片１５０１ａ、１５０２ａを大径とする（止め具１５０１、１５０２の頭部の径より、大きくする）ことで、この鍔片１５０１ａ、１５０２ａと、ホルダー２の外周面２ｃとの挾持隙間Ｄを形成し、この挾持隙間Ｄに、釣糸Ｃ１を係止、又は捲装（引掛け）できる構造とする。この構造を利用することで、釣糸Ｃ１に起因するトラブル、例えば、釣糸Ｃ１の巻付き・絡まり・亀裂等の防止、部品の破損、人への巻付き・絡まり・傷害防止、等に有効である。
【００３９】
この例におけるロッドホルダー１を、釣ボックスＡに取付ける一例を説明すると、釣ボックスＡの裏面に、テープ１００１を貼着し、釣ボックスＡの孔と、剛性の板材１０の孔１０００を整合（整合孔とする）する。一方、上下キャップ３、４と底ユニット１５を取付けたホルダー２の孔２００に、取付けボルト６の螺軸部６ｂを貫設し（複数の例では、一動作とする）、この螺軸部６ｂと、取付けボルト６の外周面との間に、樹脂性ワッシャ７を取付ける。この樹脂性ワッシャ７により、取付けボルト６の落下が極めて少なくなり、例えば、取付け、取外し、又は保管等の作業が容易となること、又はこの落下に伴う紛失、破損、人的事故等の回避が図れる実益がある。続いて、釣ボックスＡの表面から、前記整合孔に向って、ホルダー２の取付けボルト６を差込み、釣ボックスＡの裏面に貫設する。この貫設した、取付けボルト６の螺軸部６ｂにワッシャ１１と、ナット１２を取付け、このナット１２を螺合することで、釣ボックスＡの所定箇所に、後付けで、ロッドホルダー１が装着されるとともに、この釣ボックスＡの剛性が確保される。このように、本考案では、自分の釣ボックスＡに、自由に取付けでき、かつ、また後述するように取外しができる。
【００４０】
そして、このロッドホルダー１の取外しは、先ず、ナット１２を螺戻し、取付けボルト６の螺軸部６ｂより、ナット１２とワッシャ１１を外す。その後、ホルダー２の螺軸部６ｂを、整合孔より脱抜する。その後、必要により、樹脂性ワッシャ７を、ホルダー２に差込んだ取付けボルト６の螺軸部６ｂより外し、次いで、取付けボルト６を、ホルダー２の孔２００より取外す。また、このホルダー２より、上下キャップ３、４と底ユニット１５を取外すことで、終了する。勿論、ホルダー２の孔２００に、取付けボルト６を取付けた状態での保管も可能である。尚、板材１０の取外しも自由である。
【００４１】
そして、本考案では、板材１０を釣ボックスＡに設けることで、釣ボックスＡは撓まず、かつロッドホルダー１で、釣竿Ｃを安定して保持できる特徴がある。また、ホルダー２が剛性（硬い）の場合は、板材１０の硬さは限定されず、例えば、この板材１０は、剛性に限定されない。尚、ホルダー２と、板材１０を共に剛性とすることもあり得る。そして、前記の各剛性は、釣竿Ｃとのマッチングも最適である。
【００４２】
また、図８〜図１０において、ロッドホルダー１と、その取付け手段Ｂの別の一例を説明すると、このホルダー２の外周面２ｃにクリップ２０を取付ける。このクリップ２０の折曲げ基部２０００を、止め具２１を介して外周面２ｃの上方に取付ける。そして、このクリップ２０は、外周面２ｃより離間した頂面の折曲げ弾性部２００１を介して、外周面２ｃに添接するクリップ本体部２００２で構成する。そして、クリップ本体部２００２（クリップ２０）の下端（先端）に係止部２２ａを設けるとともに、外周面２ｃに被係止部２２ｂを設ける構造である。この上下キャップ３、４と底ユニット１５を取付けたホルダー２を、釣ボックスＡの周辺素材に取付ける一例を説明すると、一方の手でホルダー２を把持し、他方の手でクリップ本体部２００２を把持した状態で、このクリップ本体部２００２を、周辺素材の適所で、その上端裏面に添接するようにして差込み、折曲げ弾性部２００１が上端に達した段階で、前記係止部２２ａと被係止部２２ｂが係合し、このクリップ２０が、釣ボックスＡに適度の挾持力で固定される。尚、被係止部２２ｂは、前記孔２００と兼用できる。また、この係止部２２ａと被係止部２２ｂの代替として、図１０に示した、貼着部２３も可能である。尚、クリップ２０を釣ボックスＡに設けることで、この釣ボックスＡが撓んだ状態でも、ロッドホルダー１は撓むことなく、釣竿Ｃを安定して保持できること、また、このロッドホルダー１が離脱しないこと、等の特徴がある。その他は前述の例に準ずる。
【００４３】
そして、この例におけるロッドホルダー１の取外しは、極めて簡単であり、一方の手でクリップ本体部２００２を把持し、また、他方の手でホルダー２を把持した状態で、このクリップ本体部２００２を、釣ボックスＡに内側に引張り、係止部２２ａと被係止部２２ｂを離間し、順次、外すことで、このクリップ２０を、釣ボックスＡより取外すことができる。その他は、前述の一例に準ずる。
【符号の説明】
【００４４】
１            ロッドホルダー
２            ホルダー
２ａ          上部
２ｂ          下部
２ｃ          外周面
２００        孔
３            上キャップ
４            下キャップ
４００        切欠き
６            取付けボルト
６００        皿頭部
６ａ          基端部
６ｂ          螺軸部
７            樹脂性ワッシャ
７００        切欠き部
１０          板材
１０００      孔
１００１      テープ
１１          ワッシャ
１２          ナット
１５          底ユニット
１５００      筒体
１５００ａ    開放端
１５００ｂ    開放端
１５０１      止め具
１５０１ａ    鍔片
１５０１ｂ    螺子部
１５０２      止め具
１５０２ａ    鍔片
１５０２ｂ    螺子部
２０          クリップ
２０００      折曲げ基部
２００１      折曲げ弾性部
２００２      クリップ本体部
２１          止め具
２２ａ        係止部
２２ｂ        被係止部
Ａ            釣ボックス
Ｂ            取付け手段
Ｃ            釣竿
Ｃ１          釣糸
Ｄ            挾持隙間
Ｓ            隙間
【図１−１】
0003155035.tif 000003
【図１−２】
0003155035.tif 000004
【図１−３】
0003155035.tif 000005
【図２】
0003155035.tif 000006
【図３】
0003155035.tif 000007
【図４】
0003155035.tif 000008
【図５−１】
0003155035.tif 000009
【図５−２】
0003155035.tif 000010
【図６】
0003155035.tif 000011
【図７−１】
0003155035.tif 000012
【図７−２】
0003155035.tif 000013
【図８】
0003155035.tif 000014
【図９】
0003155035.tif 000015
【図１０】
0003155035.tif 000016
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
釣ボックスの周辺素材の裏面に添接する板材と、この板材に設けた複数個の孔と、前記
周辺素材の表面に添接される取付けボルトを有する有底のホルダーと、このホルダーの取付けボルトの基端部に設けた樹脂性ワッシャとで構成し、この取付けボルトを、前記周辺素材の孔と、前記板材の孔を貫設し、この周辺素材の裏面に至らしめ、この裏面に至った取付けボルトの先端部に、ナットを緊締し、このホルダーを、前記周辺素材の適所に、かつ取付け、又は取外し可能とした釣竿用のロッドホルダー。
【請求項２】
釣ボックスの周辺素材の上部を挾持するクリップを備えた有底のホルダーと、このホルダーの外周面の被係止部と、前記クリップの下端の係止部との係止関係を利用し、前記周辺素材への圧着手段か、又は前記クリップの下端に設けた貼着部による前記周辺素材への貼着手段で、このホルダーを、前記周辺素材の適所に、かつ取付け、又は取外し可能とした釣竿用のロッドホルダー。
【請求項３】
請求項１、又は請求項２に記載の釣竿用のロッドホルダーであって、
前記有底は、ホルダーの下部に設けた無底の下キャップと、このホルダーの下部と前記下キャップに差渡し設けた底ユニットとによる構成とした釣竿用のロッドホルダー。
【請求項４】
請求項１、又は請求項２に記載の釣竿用のロッドホルダーであって、
前記ロッドホルダーに差渡し設けた底ユニットは、ホルダーの下部及び／又は下キャップに貫設した筒体と、この筒体に挿入される、前記ホルダーの下部の外周面に圧接される鍔片を備えた止め具とでなる構成とした釣竿用のロッドホルダー。
【請求項５】
請求項４に記載の釣竿用のロッドホルダーであって、
前記止め具の螺子部には、この止め具の頭部より大径の鍔片を支持し、この支持した鍔片と、前記ホルダーの外周面の間に挾持隙間を形成し、この挾持隙間に釣糸を引掛ける構成とした釣竿用のロッドホルダー。
【手続補正２】
【補正対象書類名】明細書
【補正対象項目名】全文
【補正方法】変更
【補正の内容】
【考案の詳細な説明】
【技術分野】
【０００１】
本考案は、釣道具、又は魚等の収容を図る釣ボックス（バッカン、収容箱）であって、可撓性の釣ボックスに、ホルダー（有底筒体）を自由に取付け、取外し可能に設けられる釣竿用のロッドホルダーに関する。
【背景技術】
【０００２】
魚釣において、釣竿を片手、又は両手で長時間保持することは少なく、通常は、釣竿支持具にて支持する。この支持は、手の疲労を軽減し、楽しみながら釣をすることと、この待ち時間に、餌の準備、捕捉をするとか、又は道具の修理、選択をすること等に活用することで、前記と同様に、楽しみながら釣をすること等にある。このような希望から、種々の釣竿支持具が提供されているが、本考案者が知る限りでは、これらの希望を満足するに到っていないのが現況である。
【０００３】
そこで、本出願人は、この希望を満足するための構成を先行文献から検討すると、次に挙げる発明、考案が一例として挙げられるので、以下、その内容を概述する。
【０００４】
文献（１）は、特開２００４−２１５６００の「釣竿支持具」であり、可撓性（柔らかい）の収容箱に釣竿支持具を取付け、取外し自在にすることを意図し、この収容箱の前側に山形形状の脚部材を取付け、この収容箱に剛性を付与しながら、かつ竿受け部材を取付け可能とする構造であり、可撓性の収容箱に釣竿支持具を取付け、かつ釣竿の支持を可能とする。しかし、この発明は、構造が大掛かりなり易く、取付けに手間取ること、二点支持構造の竿受け部材では、使用時に引っ掛り易いこと、また、この引掛けにより、転倒の危険性があること、等の改良点が挙げられる。
【０００５】
また、文献（２）は、特開２００７−１５９４２８の「釣竿保持具」であり、釣竿の柄を差込む挿入部材と連結部材で構成する釣竿の支持具と、この支持具に設けたベルトで構成し、この支持具を、ベルトを介して、人体、又は車椅子等の起立手段に取付ける構造であり、この支持具で、釣竿を支持することを特徴とし、簡便かつ容易な釣竿支持具を提供することを意図する。しかし、この発明は、支持具が傾斜する構造であるので、使用時（魚釣）には有効であるが、それ以外の状態では、却って邪魔となることが考えられることから、利便性を考えた際には、限界があること、また、ベルトを捲装する構造であり、取付け方によっては、危険であること、人の場合では、長時間の使用に抵抗感があること、等の改良点が挙げられる。
【０００６】
さらに、文献（３）は、特開２００１−３７３９１の「釣り用ジャケットおよび竿支持体」であり、この発明は、筒状のグリップ挿入部の台座部を、ジャケットの胸部近傍に固着する構造である。従って、釣竿の保持は可能であり、有益である。しかし、この発明は、筒状のグリップ挿入部に底部を備えていないことから、例えば、「釣竿に取り付けられたスピニングリールの脚部と、筒部の上縁部とが接触するまで、釣竿はグリップ挿入部内に挿入され（差込まれる）、」との記載がある通り、このスピニングリール等の引掛け部材がない釣竿には使用できない問題が考えられる。そして、また、この発明は、台座部を逢着する構造であり、簡易に着脱できないこと、また、個人のジャケットに、後付け方法で、逢着するには、手間と経験を要すること、等の改良点が考えられる。
【０００７】
【特許文献１】特開２００４−２１５６００
【特許文献２】特開２００７−１５９４２８
【特許文献３】特開２００１−３７３９１
【考案の概要】
【考案が解決しようとする課題】
【０００８】
前記文献（１）は、可撓性の収容箱に、その骨組みとなる脚部材の取付けにより、二点支持構造の竿受け部材を取付け可能とする。しかし、この発明は、構造が大掛かりなり易く、取付けに手間取ること、この竿受け部材の構造では、使用時に引掛り易いこと、また、この引掛けにより、転倒の危険性があること、等の改良点が挙げられる。
【０００９】
また、文献（２）は、人、又は車椅子等に支持具を傾斜して設ける構造であるので、使用時には有効であるが、それ以外の状態では、却って邪魔となることが考えられることから、利便性を考えた際には、限界があること、また、ベルトを捲装する構造であり、取付け方によっては、危険であること、人の場合では、長時間の使用に抵抗感があること、等の改良点が挙げられる。
【００１０】
さらに、文献（３）では、底部を有さない構造であり、全ての釣竿に対応できない問題を抱えている。また、この文献（３）は、釣竿を挿入されるグリップ挿入部は、ベルトを介して取付ける構造であり、可撓性の釣ボックスに取付けるには、困難性が考えられる。
【００１１】
前記に鑑み、本考案（本考案の好ましい一例）は、可撓性の（柔らかい）釣ボックスの周辺素材の前面に、後付けで、ロッドホルダーを取付けできる構造を採用し、この釣ボックスの有効利用と、また、この釣ボックスに釣竿を保持できる構造とすること、等を意図する。また、これにより、本考案は、釣及び／又は釣竿・道具等の操作の容易化を図り、釣の楽しみを満喫できるロッドホルダー付の釣ボックスを提供すること、また、人手の操作と、人の移動の自由を図りつつ、かつ安全性を確保できること、又は釣竿・道具・人体等に対するトラブルの解消に役立てること、等を意図する。さらに、本考案は、釣ボックスの周辺素材の前面と裏面等を損傷することなく、ロッドホルダーを取付け、又は取外しができる構造を提案する。そして、また、本考案は、有底構造のホルダーであっても、このホルダー内に、釣竿に付着する水を溜めることなく、排出できる構造とし、最適な構造の釣具用のロッドホルダーを提案する。さらに、本考案は、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等を図ることを意図する。
【課題を解決するための手段】
【００１２】
請求項１の考案は、前述した、可撓性の釣ボックスの周辺素材の適所に、後付けで、ロッドホルダーを取付けできる構造を採用し、釣ボックスの有効利用を図り、また、釣ボックスに釣竿を保持できる構造とすること、等を意図する。また、請求項１の考案は、例えば、釣及び／又は釣竿・道具等の操作の容易化を図り、釣の楽しみを満喫できるロッドホルダー付の釣ボックスを提供すること、また、人手の操作と、人の移動の自由を図りつつ、かつ安全性を確保すること、又は釣竿・道具・人体等に対するトラブルの解消に役立てること、等を意図する。さらに、請求項１の考案は、釣ボックスの周辺素材の前面と裏面等を損傷することなく、ロッドホルダーを取付け、又は取外しができる構造を提案する。そして、また、請求項１の考案は、ホルダーを有底構造としても、ホルダー内に、釣竿に付着する水を溜めることなく、排出できる構造とし、最適な構造の釣具用のロッドホルダーを提案する。
【００１３】
請求項１は、釣ボックスの周辺素材の裏面に添接する板材と、この板材に設けた複数個の孔と、前記周辺素材の表面に添接される取付けボルトを有する有底のホルダーと、このホルダーの取付けボルトの基端部に設けた樹脂性ワッシャとで構成し、この取付けボルトを、前記周辺素材の孔と、前記板材の孔を貫設し、この周辺素材の裏面に至らしめ、この裏面に至った取付けボルトの先端部に、ナットを緊締し、このホルダーを、前記周辺素材の適所に、かつ取付け、又は取外し可能とした釣竿用のロッドホルダーである。
【００１４】
請求項２の考案は、請求項１の目的を、より簡単な構造と、低コストで達成できるホルダーの構造を提案することを意図する。
【００１５】
請求項２は、釣ボックスの周辺素材の上部を挾持するクリップを備えた有底のホルダーと、このホルダーの外周面の被係止部と、前記クリップの下端の係止部との係止関係を利用し、前記周辺素材への圧着手段か、又は前記クリップの下端に設けた貼着部による前記周辺素材への貼着手段で、このホルダーを、前記周辺素材の適所に、かつ取付け、又は取外し可能とした釣竿用のロッドホルダーである。
【００１６】
請求項３の考案は、請求項１、又は請求項２の目的を達成し、また、この目的を達成するに最適な、有底構造のホルダーの構造を提案すること、等を意図する。
【００１７】
請求項３は、請求項１、又は請求項２に記載の釣竿用のロッドホルダーであって、
前記有底は、ホルダーの下部に設けた無底の下キャップと、このホルダーの下部と前記下キャップに差渡し設けた底ユニットとによる構成とした釣竿用のロッドホルダーである。
【００１８】
請求項４の考案は、請求項１、又は請求項２の目的を達成し、また、この目的を達成するに最適な、有底構造のホルダーの構造を提案すること、又はホルダー内に、釣竿に付着する水を溜めることなく、排出できる構造を採用し、釣具用のホルダーとして、最適な構造を提案すること、等を意図する。
【００１９】
請求項４は、請求項１、又は請求項２に記載の釣竿用のロッドホルダーであって、
前記ロッドホルダーに差渡し設けた底ユニットは、ホルダーの下部及び／又は下キャップに貫設した筒体と、この筒体に挿入される、前記ホルダーの下部の外周面に圧接される鍔片を備えた止め具とでなる構成とした釣竿用のロッドホルダーである。
【００２０】
請求項５の考案は、請求項４の目的を達成し、また、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等を図ることを意図する。
【００２１】
請求項５は、請求項４に記載の釣竿用のロッドホルダーであって、
前記止め具の螺子部には、この止め具の頭部より大径の鍔片を支持し、この支持した鍔片と、前記ホルダーの外周面の間に挾持隙間を形成し、この挾持隙間に釣糸を引掛ける構成とした釣竿用のロッドホルダーである。
【考案の効果】
【００２２】
請求項１の考案は、釣ボックスの周辺素材の裏面に添接する板材と、板材に設けた複数個の孔と、周辺素材の表面に添接される取付けボルトを有する有底のホルダーと、ホルダーの取付けボルトの基端部に設けた樹脂性ワッシャとで構成し、取付けボルトを、周辺素材の孔と、板材の孔を貫設し、周辺素材の裏面に至らしめ、裏面に至った取付けボルトの先端部に、ナットを緊締し、ホルダーを、周辺素材の適所に、かつ取付け、又は取外し可能とした釣竿用のロッドホルダーである。
【００２３】
従って、請求項１は、前述した、可撓性の釣ボックスの周辺素材の適所に、後付けで、ロッドホルダーを取付けできる構造を採用し、釣ボックスの有効利用が図れること、また、釣ボックスに釣竿を保持できる構造を提供できること、等の特徴を有する。また、請求項１は、釣及び／又は釣竿・道具等の操作の容易化を図り、釣の楽しみを満喫できるロッドホルダー付の釣ボックスを提供できること、また、人手の操作と、人の移動の自由が図れ、かつ安全性を確保できること、又は釣竿・道具・人体等に対するトラブルの解消に役立つこと、等の特徴がある。さらに、請求項１は、釣ボックスの周辺素材の前面と裏面等を損傷することなく、ロッドホルダーを取付け、又は取外しができる実益がある。そして、また、請求項１は、ホルダーを有底構造としても、ホルダー内に、釣竿に付着する水を溜めることなく、排出できる構造とし、最適な構造の釣具用のロッドホルダーを提案できる特徴がある。
【００２４】
請求項２の考案は、釣ボックスの周辺素材の上部を挾持するクリップを備えた有底のホルダーと、ホルダーの外周面の被係止部と、クリップの下端の係止部との係止関係を利用し、周辺素材への圧着手段か、又はクリップの下端に設けた貼着部による周辺素材への貼着手段で、ホルダーを、周辺素材の適所に、かつ取付け、又は取外し可能とした釣竿用のロッドホルダーである。
【００２５】
従って、請求項２は、請求項１の特徴を、より簡単な構造と、低コストで達成できるホルダーの構造を提案することを意図する。
【００２６】
請求項３の考案は、請求項１、又は請求項２に記載の釣竿用のロッドホルダーであって、
有底は、ホルダーの下部に設けた無底の下キャップと、ホルダーの下部と下キャップに差渡し設けた底ユニットとによる構成とした釣竿用のロッドホルダーである。
【００２７】
従って、請求項３は、請求項１、又は請求項２の目的を達成し、また、この目的を達成するに最適な、有底構造のホルダーの構造を提案できること、等の特徴を有する。
【００２８】
請求項４の考案は、請求項１、又は請求項２に記載の釣竿用のロッドホルダーであって、
ロッドホルダーに差渡し設けた底ユニットは、ホルダーの下部及び／又は下キャップに貫設した筒体と、筒体に挿入される、ホルダーの下部の外周面に圧接される鍔片を備えた止め具とでなる構成とした釣竿用のロッドホルダーである。
【００２９】
従って、請求項４は、請求項１、又は請求項２の目的を達成し、また、この目的を達成するに最適な、有底構造のホルダーの構造を提案できること、又はホルダー内に、釣竿に付着する水を溜めることなく、排出できる構造を採用し、釣具用のホルダーとして、最適な構造を提案できること、等の特徴を有する。
【００３０】
請求項５の考案は、請求項４に記載の釣竿用のロッドホルダーであって、
止め具の螺子部には、止め具の頭部より大径の鍔片を支持し、支持した鍔片と、ホルダーの外周面の間に挾持隙間を形成し、挾持隙間に釣糸を引掛ける構成とした釣竿用のロッドホルダーである。
【００３１】
従って、請求項５は、請求項４の目的を達成し、また、ホルダーを釣ボックスに取付ける止め具に、鍔片を設ける構造とし、このホルダーと鍔片との間に、釣糸を係止し、釣糸に起因するトラブル、例えば、釣糸の巻付き・絡まり・亀裂等の防止、部品の破損、人への巻付き・絡まり・傷害防止、等が図れること、等の特徴を有する。
【図面の簡単な説明】
【００３２】
【図１−１】釣ボックスの一例を示した縮尺俯瞰図
【図１−２】釣ボックスに、ホルダー（ロッドホルダー）を取付けた状態の一例を示した縮尺俯瞰図
【図１−３】釣ボックスに取付けたホルダーに釣竿を挿入した状態の一例を示した縮尺俯瞰図
【図２】釣ボックスに取付けたホルダーに釣竿を挿入した状態の一例を示した縮尺俯瞰図
【図３】図２に示したホルダーと釣竿、及び釣糸との関係を示した縮尺正面図
【図４】釣竿用のロッドホルダーの要部を分解して示した図であり、板材と、釣ボックスの周辺素材と、取付けボルト、及び樹脂性ワッシャと、ナット、並びにホルダー等を示した俯瞰図
【図５−１】釣ボックスにホルダーを取付けた状態で、要部（ロッドホルダーに差渡し設けた底ユニット）を含めて、全体を横断した拡大断面図
【図５−２】図５−１の要部を分解して示した断面図
【図６】ロッドホルダーの要部である、ホルダー、上下キャップを分解して示した俯瞰図
【図７−１】底ユニットを構成する筒体と、鍔片と、止め具との関係を分解して示した拡大斜視図
【図７−２】図７−１の断面図
【図８】釣ボックスに、別のホルダー（ロッドホルダー）を取付けた状態の一例を示した縮尺俯瞰図
【図９】図８に示したホルダーの拡大俯瞰図
【図１０】図８に示したホルダーのクリップの一例を示した拡大俯瞰図
【考案を実施するための形態】
【００３３】
図において、１はロッドホルダーで、このロッドホルダー１の要部は、有底の剛性筒体でなるホルダー２と、この有底のホルダー２に設けられる上下キャップ３、４と、このロッドホルダー１を釣ボックスＡに取付ける取付け手段Ｂで構成される。
【００３４】
そして、図１−１〜図７−２において、ロッドホルダー１と、その取付け手段Ｂの一例を説明すると、このホルダー２の長手方向において、直線状、かつ等間隔で設けられた複数個の孔２００に挿設された、前記長手方向に直交する方向に、突設支持された複数個の取付けボルト６（支持底ユニット）と、この取付けボルト６（止め具の一種である）の開放側の基端部６ａ（ホルダー２の孔２００より突出した箇所）にそれぞれ支持された複数枚の切欠き部７００を有する樹脂性ワッシャ７と、また、この取付けボルト６に貫設支持される板材１０と、さらに、この取付けボルト６の螺軸部６ｂに螺着されるワッシャ１１及び／又はナット１２、並びに、前記ホルダー２の有底を構成する、このホルダー２と、前記下キャップ４に貫設支持した底ユニット１５とで構成される。尚、樹脂性ワッシャ７の切欠き部７００は、取付けボルト６の螺軸部６ｂに撓み、かつ挾持されることで、この取付けボルト６を、ホルダー２の孔２００に取付けても、落下が少なくなることで、例えば、取付けボルト６の螺軸部６ｂを、釣ボックスＡの孔及び／又は後述する板材の孔に簡易に、差込み可能となり重宝する。
【００３５】
そして、前記上下キャップ３、４は、ホルダー２の上下部２ａ、２ｂに嵌着されて、この上下部２ａ、２ｂを保護し、かつ肉厚部位を生成するとともに、このロッドホルダー１に釣竿Ｃを挿入される際のガイドとすること、また、取付けボルト６の皿頭部６００を隠蔽し、怪我とか、一例では、釣竿Ｃの保護等を図る。また、取付けボルト６の皿頭部６００は、ホルダー２の皿状の孔２００に嵌着されるとともに、この皿頭部６００の面部は、ホルダー２の内壁面に、略面一に嵌着される。この嵌着された皿頭部６００の上に、上下キャップ３、４が設けられることで、この皿頭部６００による全ての問題点を解消できる。
【００３６】
また、板材１０には、前記取付けボルト６が貫設される複数個の孔１０００が貫設されているとともに、釣ボックスＡへの取付けを図るテープ１００１が設けられている。
【００３７】
図中１１はワッシャ、１２はナットを示す。
【００３８】
また図中１５は底ユニットで、この底ユニット１５は、筒体１５００と、この筒体１５００の開放端１５００ａ、１５００ｂに差込まれ、かつホルダー２の下部の外周面２ｃに圧接される鍔片１５０１ａ、１５０２ａと、螺子部１５０１ｂ、１５０２ｂを備えた止め具１５０１、１５０２で構成されており、この底ユニット１５を、ホルダー２の下部２ｂに設けた孔２０１と、場合により、下キャップ４に設けた孔（図示しない）、又は切欠き４００との間に設け、この筒体１５００の開放端１５００ａ、１５００ｂに、止め具１５０１、１５０２を差込み支持することで、ホルダー２の底部（有底）となるが、隙間Ｓが形成されることから、例えば、水の落下、空気の流通を図り、ぬめり、汚染、悪臭等の障害解消と、美感維持等を可能とする。また、この有底を利用し、挿入した釣竿Ｃの保持と、又は全ての釣竿Ｃの保持が可能となり重宝する。そして、図２、図３と、５−１に示す如く、この鍔片１５０１ａ、１５０２ａを大径とする（止め具１５０１、１５０２の頭部の径より、大きくする）ことで、この鍔片１５０１ａ、１５０２ａと、ホルダー２の外周面２ｃとの挾持隙間Ｄを形成し、この挾持隙間Ｄに、釣糸Ｃ１を係止、又は捲装（引掛け）できる構造とする。この構造を利用することで、釣糸Ｃ１に起因するトラブル、例えば、釣糸Ｃ１の巻付き・絡まり・亀裂等の防止、部品の破損、人への巻付き・絡まり・傷害防止、等に有効である。
【００３９】
この例におけるロッドホルダー１を、釣ボックスＡに取付ける一例を説明すると、釣ボックスＡの裏面に、テープ１００１を貼着し、釣ボックスＡの孔と、剛性の板材１０の孔１０００を整合（整合孔とする）する。一方、上下キャップ３、４と底ユニット１５を取付けたホルダー２の孔２００に、取付けボルト６の螺軸部６ｂを貫設し（複数の例では、一動作とする）、この螺軸部６ｂと、取付けボルト６の外周面との間に、樹脂性ワッシャ７を取付ける。この樹脂性ワッシャ７により、取付けボルト６の落下が極めて少なくなり、例えば、取付け、取外し、又は保管等の作業が容易となること、又はこの落下に伴う紛失、破損、人的事故等の回避が図れる実益がある。続いて、釣ボックスＡの表面から、前記整合孔に向って、ホルダー２の取付けボルト６を差込み、釣ボックスＡの裏面に貫設する。この貫設した、取付けボルト６の螺軸部６ｂにワッシャ１１と、ナット１２を取付け、このナット１２を螺合することで、釣ボックスＡの所定箇所に、後付けで、ロッドホルダー１が装着されるとともに、この釣ボックスＡの剛性が確保される。このように、本考案では、自分の釣ボックスＡに、自由に取付けでき、かつ、また後述するように取外しができる。
【００４０】
そして、このロッドホルダー１の取外しは、先ず、ナット１２を螺戻し、取付けボルト６の螺軸部６ｂより、ナット１２とワッシャ１１を外す。その後、ホルダー２の螺軸部６ｂを、整合孔より脱抜する。その後、必要により、樹脂性ワッシャ７を、ホルダー２に差込んだ取付けボルト６の螺軸部６ｂより外し、次いで、取付けボルト６を、ホルダー２の孔２００より取外す。また、このホルダー２より、上下キャップ３、４と底ユニット１５を取外すことで、終了する。勿論、ホルダー２の孔２００に、取付けボルト６を取付けた状態での保管も可能である。尚、板材１０の取外しも自由である。
【００４１】
そして、本考案では、板材１０を釣ボックスＡに設けることで、釣ボックスＡは撓まず、かつロッドホルダー１で、釣竿Ｃを安定して保持できる特徴がある。また、ホルダー２が剛性（硬い）の場合は、板材１０の硬さは限定されず、例えば、この板材１０は、剛性に限定されない。尚、ホルダー２と、板材１０を共に剛性とすることもあり得る。そして、前記の各剛性は、釣竿Ｃとのマッチングも最適である。
【００４２】
また、図８〜図１０において、ロッドホルダー１と、その取付け手段Ｂの別の一例を説明すると、このホルダー２の外周面２ｃにクリップ２０を取付ける。このクリップ２０の折曲げ基部２０００を、止め具２１を介して外周面２ｃの上方に取付ける。そして、このクリップ２０は、外周面２ｃより離間した頂面の折曲げ弾性部２００１を介して、外周面２ｃに添接するクリップ本体部２００２で構成する。そして、クリップ本体部２００２（クリップ２０）の下端（先端）に係止部２２ａを設けるとともに、外周面２ｃに被係止部２２ｂを設ける構造である。この上下キャップ３、４と底ユニット１５を取付けたホルダー２を、釣ボックスＡの周辺素材に取付ける一例を説明すると、一方の手でホルダー２を把持し、他方の手でクリップ本体部２００２を把持した状態で、このクリップ本体部２００２を、周辺素材の適所で、その上端裏面に添接するようにして差込み、折曲げ弾性部２００１が上端に達した段階で、前記係止部２２ａと被係止部２２ｂが係合し、このクリップ２０が、釣ボックスＡに適度の挾持力で固定される。尚、被係止部２２ｂは、前記孔２００と兼用できる。また、この係止部２２ａと被係止部２２ｂの代替として、図１０に示した、貼着部２３も可能である。尚、クリップ２０を釣ボックスＡに設けることで、この釣ボックスＡが撓んだ状態でも、ロッドホルダー１は撓むことなく、釣竿Ｃを安定して保持できること、また、このロッドホルダー１が離脱しないこと、等の特徴がある。その他は前述の例に準ずる。
【００４３】
そして、この例におけるロッドホルダー１の取外しは、極めて簡単であり、一方の手でクリップ本体部２００２を把持し、また、他方の手でホルダー２を把持した状態で、このクリップ本体部２００２を、釣ボックスＡに内側に引張り、係止部２２ａと被係止部２２ｂを離間し、順次、外すことで、このクリップ２０を、釣ボックスＡより取外すことができる。その他は、前述の一例に準ずる。
【符号の説明】
【００４４】
１            ロッドホルダー
２            ホルダー
２ａ          上部
２ｂ          下部
２ｃ          外周面
２００        孔
３            上キャップ
４            下キャップ
４００        切欠き
６            取付けボルト
６００        皿頭部
６ａ          基端部
６ｂ          螺軸部
７            樹脂性ワッシャ
７００        切欠き部
１０          板材
１０００      孔
１００１      テープ
１１          ワッシャ
１２          ナット
１５          底ユニット
１５００      筒体
１５００ａ    開放端
１５００ｂ    開放端
１５０１      止め具
１５０１ａ    鍔片
１５０１ｂ    螺子部
１５０２      止め具
１５０２ａ    鍔片
１５０２ｂ    螺子部
２０          クリップ
２０００      折曲げ基部
２００１      折曲げ弾性部
２００２      クリップ本体部
２１          止め具
２２ａ        係止部
２２ｂ        被係止部
Ａ            釣ボックス
Ｂ            取付け手段
Ｃ            釣竿
Ｃ１          釣糸
Ｄ            挾持隙間
Ｓ            隙間